(57)【特許請求の範囲】
【請求項１】
食品を収納する凹部と凹部の上縁に設けられたフランジを有し、平面略方形の容器本体と、前記容器本体のフランジにヒンジ部を介して連設された蓋体とよりなり、前記蓋体を前記容器本体のヒンジ部に対向するフランジの長手方向二カ所に固着して収納物を封緘するようにした包装用容器において、
前記蓋体に、前記固着部位を囲み縁部に開放したミシン目を設けると共に、ミシン目を破断する際に下方へ移動させるための指かけとなる凹部又は凸部を設けた、
包装用容器
【請求項２】
蓋体には指かけとなる凹部を設け、その位置はミシン目の内側で、かつ容器本体の凹部対応位置とした、請求項１記載の包装用容器
【請求項３】
蓋体には指かけとなる凹部を設け、その位置はミシン目の外側で、かつ容器本体の凹部対応位置とした、請求項１記載の包装用容器
【請求項４】
蓋体には指かけとなる凸部を設け、その位置はミシン目の内側とした、請求項１記載の包装用容器
【請求項５】
蓋体に設ける指かけとなる凹部又は凸部の位置は、ミシン目の内側かつ容器本体のフランジ対応位置とし、前記ミシン目は蓋体の容器本体のフランジに対応する範囲内とし、容器本体のフランジの外縁から内側に向けて、前記ミシン目を破断する際にフランジの移動量を増大させるためのミシン目又はスリットを設けた、請求項１記載の包装用容器
【発明の詳細な説明】
【技術分野】
【０００１】
この発明は、納豆などを包装する蓋付きの包装用容器に関するものであって、開封を容易とするものである。
【背景技術】
【０００２】
食品を収納する凹部と凹部の上縁に設けられたフランジを有し、平面略方形の容器本体と、前記容器本体のフランジにヒンジ部を介して連設された蓋体とよりなり、前記蓋体を前記容器本体のヒンジ部に対向するフランジに固着して収納物を封緘するようにした包装用容器においては、収納物を取り出すためには容器本体と蓋体との固着部を剥がさなければならない。
ところで、この種の容器、特に納豆容器においては大豆を容器に収納した状態で蓋をして醗酵させるために、容器本体と蓋体とは強く固着する必要がある。そのために、開蓋には比較的大きな力が必要であり、力の弱い老人などには開蓋が難しい場合がある。加えて、納豆容器は通常発泡樹脂シートを成形したものであるので、蓋体を剥がそうとすると一部が割れたり、樹脂の屑が生じたりする場合がある。
そこで、比較的小さな力で開蓋できる容器が望まれている。
【０００３】
このような要望に応えるものとして、蓋体にミシン目を設けたものや、容器本体のフランジにミシン目を設けたものが提案されている。
しかしながら、これらの発明はミシン目を破断するための工夫がなされておらず、ミシン目を破断することが難しい。
【特許文献１】特開２００２−５９９９０号公報
【特許文献２】特開２００５−１５３９８１号公報
【特許文献３】特開２０１３−１００１２１号公報
【発明の開示】
【発明が解決しようとする課題】
【０００４】
この発明は、蓋体に開蓋のためのミシン目を設けた包装用容器において、ミシン目の破断を容易にすることを課題とするものである。
【課題を解決するための手段】
【０００５】
この発明は、食品を収納する凹部と凹部の上縁に設けられたフランジを有し、平面略方形の容器本体と、前記容器本体のフランジにヒンジ部を介して連設された蓋体とよりなり、前記蓋体を前記容器本体のヒンジ部に対向するフランジの長手方向中央部に固着して収納物を封緘するようにした包装用容器において、前記蓋体に、前記固着部位を囲み縁部に開放したミシン目を設けると共に、ミシン目を破断する際の指かけとなる凹部又は凸部を設けることにより、前記課題を解決するものである。
【０００６】
前記指かけとなる凹部又は凸部は、当該凹部又は凸部に指をあてがって蓋体の一側を押し下げることによってミシン目の破断に寄与するものである。
その具体的な態様としては、蓋体に指かけとなる凹部を設け、その位置はミシン目の内側で、かつ容器本体の凹部対応位置としたもの（請求項２）、蓋体に指かけとなる凹部を設け、その位置はミシン目の外側で、かつ容器本体の凹部対応位置としたもの（請求項３）、蓋体に指かけとなる凸部を設け、その位置はミシン目の内側としたもの（請求項４）、蓋体に指かけとなる凹部又は凸部を設け、その位置はミシン目の内側かつ容器本体のフランジ対応位置としたもの（請求項５）等が考えられる。
【発明の効果】
【０００７】
この発明によれば、蓋体に設けた凹部又は凸部を指で押し下げることにより、容易かつ確実にミシン目を破断することができるので、比較的小さな力で残滓が可及的に少ない状態で蓋を開けることができる。
【図面の簡単な説明】
【０００８】
【図１】この発明実施例１の正面図
【図２】同じく平面図
【図３】同じく閉蓋状態の平面図
【図４】同じく図３のＡ−Ａ断面図
【図５】同じく閉蓋状態の斜視図
【図６】同じくミシン目を破断した状態の平面図
【図７】この発明実施例２の斜視図
【図８】この発明実施例３の斜視図
【図９】この発明実施例４の閉蓋状態の斜視図
【図１０】同じくミシン目を破断した状態の斜視図
【発明を実施するための形態】
【０００９】
容器本体１は、食品（納豆）を収納する平面視略隅丸方形の凹部２と凹部の上縁に全周に亘って設けられた平面視方形のフランジ３を有し、前記容器本体１のフランジ３の一縁にヒンジ部４を介して蓋体５が連設されている。前記蓋体５は前記容器本体１のヒンジ部４に対向するフランジの長手方向に二カ所の固着部６で容器本体１のフランジ３に固着して収納物を封緘して使用するものである。この構成は全ての実施例に共通するものである。
【実施例１】
【００１０】
実施例１は請求項２に対応するものである。前記蓋体５に、前記固着部６を囲み縁部に開放したミシン目７が設けてあり、このミシン目７は前記容器本体１の凹部２に張り出し、前記凹部２の上縁と平行な主切断部７ａを有している。そして、前記ミシン目７の主切断部７ａの内側（開放縁側）かつ前記凹部２の上方に、ミシン目を破断する際の指かけとなる凹部８が、前記主切断部７ａと平行に設けてある。
【００１１】
この実施例によれば、指かけ用の凹部８は容器本体１の凹部２の上方に位置しているので、指かけ用の凹部８を下方へ押し下げると該部分は十分な移動距離があるので、ミシン目７に囲われた部分は下方へ移動し、特に主切断部７ａは下方へ大きく移動する。そのために、蓋体５においてミシン目７ははじめに主切断部７ａが破断し、順次全長に亘り破断する。        
ミシン目７が破断すると、蓋体５の容器本体１への固着が解除されるので、蓋体５を開けて収納された食品を取り出すことができる。
【実施例２】
【００１２】
実施例２は請求項３に対応するものである。実施例１と同様に、容器本体１に蓋体５が連設してあり、蓋体５にミシン目７が設けてある。このミシン目７は実施例１と同様に前記容器本体１の凹部２に張り出し、前記凹部２の上縁と平行な主切断部７ａを有している。そして、前記ミシン目７の主切断部７ａの外側（ヒンジ部側）かつ前記凹部２の上方に、ミシン目を破断する際の指かけとなる凹部８が、前記主切断部７ａと平行に設けてある。
【００１３】
この実施例によれば、指かけ凹部８は容器本体１の凹部２の上方に位置しているので、指かけ用の凹部８を下方へ押し下げると該部分は十分な移動距離があるので、ミシン目７に囲われた部分は下方へ移動し、特に主切断部７ａは下方へ大きく移動する。そのために、蓋体５においてミシン目７ははじめに主切断部７ａが破断し、順次全長に亘り破断する。
ミシン目７が破断すると、蓋体５の容器本体１への固着が解除されるので、蓋体５を開けて収納された食品を取り出すことができる。
【実施例３】
【００１４】
実施例３は請求項４に対応するものである。実施例１と同様に、容器本体１に蓋体５が連設してあり、蓋体５にミシン目７が設けてある。このミシン目７は前記容器本体１の凹部２に張り出し、前記凹部２の上縁と平行な主切断部７ａを有している。そして、前記ミシン目７の主切断部７ａの内側（開放縁側）の上面に、ミシン目を破断する際の指かけとなる凸部９が、前記主切断部７ａと平行に設けてある。
【００１５】
この実施例によれば、指かけ用の凸部９を矢印方向へ押すと主切断部７ａは下方へ移動し、ミシン目７ははじめに主切断部７ａが破断し、順次全長に亘り破断する。
ミシン目７が破断すると、蓋体５の容器本体１への固着が解除されるので、蓋体５を開けて収納された食品を取り出すことができる。
【実施例４】
【００１６】
実施例４は請求項５に対応するものである。実施例１と同様に、容器本体１に蓋体５が連設してあり、蓋体５にミシン目７が設けてある。このミシン目７は前記容器本体１の凹部２の上縁に沿った主切断部７ａを有している。そして、前記ミシン目７の主切断部７ａの内側（ミシン目の開放側）に、ミシン目を破断する際の指かけとなる凹部８が、前記主切断部７ａと平行に設けてある。
また、容器本体１のフランジ３に、フランジ３の外縁と内縁とを結ぶミシン目７ｂが設けてあり、凹部８を押し下げたときにおけるフランジ３の移動量が大きくなるようにしてある。  
【００１７】
この実施例によれば、指かけ凹部８を下方へ押し下げるとミシン目７の両側部分とフランジ３のミシン目７ｂが破断して蓋体５のミシン目７で囲われた部分とフランジ３の２本のミシン目７ｂの間が下方に大きく傾斜する。そのために、蓋体５の主切断部７ａが破断する。
ミシン目７が破断すると、蓋体５の容器本体１への固着が解除されるので、蓋体５を開けて収納された食品を取り出すことができる。
なお、実施例３の構成においても、フランジにミシン目７ｂを設けることにより、破断を容易にすることができる。
また、上記において、指かけのための構造として、凹部８に代えて同じ位置に凸部を設けても同様の効果を得ることができる。
【産業上の利用可能性】
【００１８】
以上に示すとおり、従来の技術において蓋体又は容器本体のフランジ部に切断用のミシン目を設けたものはあった。それに対して、本願においては指かけ用の凹部又は凸部を設けることにより、破断されるミシン目に力が集中するようになり、比較的小さな力でミシン目を破断することができるようになる。
【符号の説明】
【００１９】
１    容器本体
２    凹部
３    フランジ
４    ヒンジ部
５    蓋体
６    固着部
７    ミシン目
７ａ  主切断部
８    指かけとなる凹部
９    指かけとなる凸部
【図１】
0005916681.tif 000002
【図２】
0005916681.tif 000003
【図３】
0005916681.tif 000004
【図４】
0005916681.tif 000005
【図５】
0005916681.tif 000006
【図６】
0005916681.tif 000007
【図７】
0005916681.tif 000008
【図８】
0005916681.tif 000009
【図９】
0005916681.tif 000010
【図１０】
0005916681.tif 000011